(57)【特許請求の範囲】
【請求項１】
床上に敷設される略方形の平面視形状を有した温調マットであって、
互いに所定の間隔をおいて配列された複数本の小根太と、
該小根太同士の間にそれぞれ配材された、小根太長手方向に延在する１対の第１の端辺及び該小根太と交叉方向に延在する１対の第２の端辺を有する略方形の複数枚の基板と、
該基板の上面に設けられた配管収容用の溝と、
該溝に収容された温調配管と、
各基板の上面を覆うように配置された均熱シートと
を有し、
該小根太は、小小根太と、該小小根太とスペースをあけて配置された、該小小根太よりも長い長小根太とからなり、
該小小根太と長小根太との間のスペースに前記温調配管が引き通されている温調マットにおいて、
全ての小根太において、各小小根太が前記基板の同一の第２の端辺側に配置されており、
該小小根太と長小根太との間の釘打ちできないスペースは、全ての小根太において、全ての基板の同一の一方の第２の端辺側にのみ存在していることを特徴とする温調マット。
【請求項２】
請求項１において、前記小小根太として、第１の規定長さＬ１を有した第１の小小根太と、該第１の小小根太よりも長い第２の規定長さＬ２を有した第２の小小根太とが設けられており、
該第１の小小根太を有した小根太と、該第２の小小根太を有した小根太とが、前記基板所定枚数毎に交互に配列されていることを特徴とする温調マット。
【請求項３】
請求項２において、
前記第１の小小根太を有する小根太は、規定長さＭ１の第１の長小根太を有しており、
前記第２の小小根太を有する小根太は、該規定長さＭ１よりも短い規定長さＭ２の第２の長小根太を有しており、
該第１の小小根太の該第１の長小根太側の端部と、該第２の長小根太の該第２の小小根太側の端部との小根太長手方向の間隔が実質的に３０３ｍｍよりも小さいことを特徴とする温調マット。
【請求項４】
請求項３において、該第１の小小根太の該第１の長小根太側の端部と、該第２の長小根太の該第２の小小根太側の端部との小根太長手方向の間隔が実質的に１５１．５ｍｍよりも小さいことを特徴とする温調マット。
【請求項５】
請求項２ないし４のいずれか１項において、該第２の小小根太の該第２の長小根太側の端部は、該第１の長小根太の該第１の小小根太側の端部よりも前記第２の端辺から離隔した位置まで延在していることを特徴とする温調マット。
【請求項６】
請求項５において、該第１の長小根太の該第１の小小根太側の端部と、該第２の小小根太の該第２の長小根太側の端部との小根太長手方向の間隔が１０〜１００ｍｍであることを特徴とする温調マット。
【請求項７】
請求項１ないし６のいずれか１項において、各小根太の前記スペースの小根太長手方向の幅が実質的に３０３ｍｍよりも小さいことを特徴とする温調マット。
【請求項８】
請求項７において、各小根太の前記スペースの小根太長手方向の幅が実質的に１５１．５ｍｍよりも小さいことを特徴とする温調マット。
【発明の詳細な説明】
【技術分野】
【０００１】
本発明は、床上に敷設される温調マットに係り、特に、温調マットの各基板間に小根太が配置されている温調マットに関する。さらに詳しくは、本発明は、フローリング材がこれらの小根太に跨って配材されて小根太に釘留めされるように施工される温調マットに関する。
【背景技術】
【０００２】
基板の上面に温水配管を引き回してなる温水マットを床上に配置し、その上にフローリング材を敷設した暖房床がある。
【０００３】
この温水マットとして、フローリング材を固定するための小根太を備えたものが特開２００６−２２６６０４号公報に記載されている。
【０００４】
第９図は同号公報の図１の温水マットを示す平面図である。なお、同図では均熱シートの図示が省略されている。
【０００５】
この温水マットは、複数枚の長方形の基板７０と、各基板７０の長辺同士の間に配置された小根太とを有している。各基板７０の上面には溝が設けられ、温水配管７１が該溝を通って引き回されている。１つの基板７０（７０Ａ）の短辺からは小さい方形の切欠状のヘッダ設置部７２が設けられ、このヘッダ設置部７２内にヘッダが設けられている。
【０００６】
この小根太は、短い小小根太８１と、長い長小根太８２とからなり、小小根太８１と長小根太８２との間には温水配管７１を引き通すためのスペース８３があいている。
【０００７】
第１０図は第９図の温水マットの基板７０の一方の短辺側と他方の短辺側との拡大図である。
【０００８】
第１０図の通り、この温水マットにあっては、小小根太８１が基板７０の一方の短辺側に配置された小根太と、小小根太８１が基板７０の他方の短辺側に配置された小根太とが、基板７０一枚毎に交互に配列されている。
【０００９】
温水配管７１は、各基板７０の一方の短辺側のスペース８３と他方の短辺側のスペース８３とを交互に引き通されて各基板７０上をジグザグに引き回されている。
【００１０】
この温水マットを床下地の上面に敷設した後、長方形板状のフローリング材９０を、該フローリング材９０の長手方向が基板７０の長手方向と直交方向となるように敷設し、釘打ちして小根太に固定する。なお、このフローリング材９０は、一般に、短手幅が３０３ｍｍ（一尺）である。
【００１１】
この釘打ちは、フローリング材９０の長側辺に沿って行なわれるが、釘が温水配管７１を貫くことがないようにするために、基板７０の一方の短辺側及び他方の短辺側において、それぞれ、該基板７０の長辺方向における各スペース８３の位置を同一としている。即ち、基板７０の一方の短辺側及び他方の短辺側において、それぞれ、各スペース８３を結ぶ直線は、基板７０の長手方向と直交方向となっている。
【００１２】
このようにスペース８３の位置を揃えるために、各小根太は小小根太８１と長小根太８２とで構成されている。
【００１３】
このスペース８３上に配材されるフローリング材９０は、第９図の通り、その両長側辺がそれぞれスペース８３の両側の小小根太８１と長小根太８２とに重ね合わされ、これらの小小根太８１及び長小根太８２にそれぞれ釘打ちされる。
【００１４】
第１１図は、第９図の温水マットを複数枚敷設した場合の該温水マット同士の突き合わせ部付近の平面図である。
【００１５】
第９図の温水マットを複数枚、各々の基板７０の短辺同士を突き合わせるようにして敷設した場合には、各温水マットにおける基板７０の一方の短辺側及び他方の短辺側の双方のスペース８３と、これらの温水マット同士の突き合わせ部Ｔ０とにそれぞれフローリング材９０の長側辺が重ならないように、フローリング材９０を配材する必要がある。
【００１６】
第１１図に、この温水マット同士の突き合わせ部Ｔ０付近におけるフローリング材９０の配置の一例を二点鎖線にて示す。
【００１７】
この突き合わせ部Ｔ０の双方の温水マット側には、それぞれ、小小根太８１を介してスペース８３が隣接している。そのため、この突き合わせ部Ｔ０付近に配材されるフローリング材９０は、第１１図の通り、該突き合わせ部Ｔ０を跨ぎ、且つその両長側辺が該突き合わせ部Ｔ０の両側のスペース８３の外側に位置する長小根太８２にそれぞれ重なるように配置され、該両長側辺がそれぞれ各長小根太８２に釘打ちされる。
【特許文献１】特開２００６−２２６６０４号公報
【発明の開示】
【発明が解決しようとする課題】
【００１８】
上記特開２００６−２２６６０４号公報の温水マットにあっては、基板の一方の短辺側及び他方の短辺側に、それぞれ釘打ちできないスペース８３が存在しているので、温水マット上にフローリング材９０を敷設する際には、基板７０の該一方の短辺側及び他方の短辺側の双方において、フローリング材９０の長側辺がこのスペース８３に重ならないようにフローリング材９０を配材する必要があるため、フローリング材９０の位置合わせが面倒である。
【００１９】
また、第１１図のように、この温水マットを複数枚、各々の基板７０の短辺同士を突き合わせるようにして敷設した場合には、これらの温水マット上にフローリング材９０を敷設するに際しては、各温水マットにおける基板７０の一方の短辺側及び他方の短辺側の双方スペース８３と、これらの温水マット同士の突き合わせ部Ｔ０とにフローリング材９０の長側辺が重ならないようにフローリング材９０を配材する必要があるため、フローリング材９０の位置合わせが非常に面倒なものとなる。
【００２０】
本発明は、このような問題点を解消し、温調マット上にフローリング材を敷設する際のフローリング材の位置合わせを容易に行うことができる温調マットを提供することを目的とする。
【課題を解決するための手段】
【００２１】
請求項１の温調マットは、床上に敷設される略方形の平面視形状を有した温調マットであって、互いに所定の間隔をおいて配列された複数本の小根太と、該小根太同士の間にそれぞれ配材された、小根太長手方向に延在する１対の第１の端辺及び該小根太と交叉方向に延在する１対の第２の端辺を有する略方形の複数枚の基板と、該基板の上面に設けられた配管収容用の溝と、該溝に収容された温調配管と、各基板の上面を覆うように配置された均熱シートとを有し、該小根太は、小小根太と、該小小根太とスペースをあけて配置された、該小小根太よりも長い長小根太とからなり、該小小根太と長小根太との間のスペースに前記温調配管が引き通されている温調マットにおいて、全ての小根太において、各小小根太が前記基板の同一の第２の端辺側に配置されており、該小小根太と長小根太との間の釘打ちできないスペースは、全ての小根太において、全ての基板の同一の一方の第２の端辺側にのみ存在していることを特徴とするものである。
【００２２】
請求項２の温調マットは、請求項１において、前記小小根太として、第１の規定長さＬ１を有した第１の小小根太と、該第１の小小根太よりも長い第２の規定長さＬ２を有した第２の小小根太とが設けられており、該第１の小小根太を有した小根太と、該第２の小小根太を有した小根太とが、前記基板所定枚数毎に交互に配列されていることを特徴とするものである。
【００２３】
請求項３の温調マットは、請求項２において、前記第１の小小根太を有する小根太は、規定長さＭ１の第１の長小根太を有しており、前記第２の小小根太を有する小根太は、該規定長さＭ１よりも短い規定長さＭ２の第２の長小根太を有しており、該第１の小小根太の該第１の長小根太側の端部と、該第２の長小根太の該第２の小小根太側の端部との小根太長手方向の間隔が実質的に３０３ｍｍよりも小さいことを特徴とするものである。
【００２４】
請求項４の温調マットは、請求項３において、該第１の小小根太の該第１の長小根太側の端部と、該第２の長小根太の該第２の小小根太側の端部との小根太長手方向の間隔が実質的に１５１．５ｍｍよりも小さいことを特徴とするものである。
【００２５】
請求項５の温調マットは、請求項２ないし４のいずれか１項において、該第２の小小根太の該第２の長小根太側の端部は、該第１の長小根太の該第１の小小根太側の端部よりも前記第２の端辺から離隔した位置まで延在していることを特徴とするものである。
【００２６】
請求項６の温調マットは、請求項５において、該第１の長小根太の該第１の小小根太側の端部と、該第２の小小根太の該第２の長小根太側の端部との小根太長手方向の間隔が１０〜１００ｍｍであることを特徴とするものである。
【００２７】
請求項７の温調マットは、請求項１ないし６のいずれか１項において、各小根太の前記スペースの小根太長手方向の幅が実質的に３０３ｍｍよりも小さいことを特徴とするものである。
【００２８】
請求項８の温調マットは、請求項７において、各小根太の前記スペースの小根太長手方向の幅が実質的に１５１．５ｍｍよりも小さいことを特徴とするものである。
【発明の効果】
【００２９】
本発明の温調マットにあっては、全ての小根太において、小小根太が基板の同一の第２の端辺側に配置されている。即ち、この温調マットにあっては、該小小根太と長小根太との間の釘打ちできないスペースは、全ての小根太において、基板の一方の第２の端辺側にのみ存在している。そのため、温調マット上にフローリング材を敷設する際には、該基板の一方の第２の端辺側においてのみ、フローリング材の長側辺がこのスペースに重ならないようにフローリング材を配材すればよいので、フローリング材の位置合わせを容易に行うことができる。
【００３０】
また、この温調マットを複数枚、各々の基板の第２の端辺同士を突き合わせるようにして敷設した場合には、これらの温調マット上にフローリング材を敷設するに際しては、これらの温調マット同士の突き合わせ部と、各温調マットの基板の一方の第２の端辺側にのみ存在するスペースとにそれぞれフローリング材の長側辺が重ならないようにフローリング材を配材すればよい。そのため、このように温調マットを複数枚、各々の基板の第２の端辺同士を突き合わせるようにして敷設した場合でも、フローリング材の位置合わせを容易に行うことができる。
【００３１】
請求項２のように、比較的短い第１の小小根太を有した小根太と、それよりも長い第２の小小根太を有した小根太とを交互に配列することにより、フローリング材を配材したときにこのフローリング材の長側辺が該第１の小小根太から若干はみ出しても、このフローリング材の長側辺を第２の小小根太に重ねて釘打ちすることが可能となる。
【００３２】
請求項３，４のように、この第１の小小根太の第１の長小根太側の端部と、第２の長小根太の該第２の小小根太側の端部との小根太長手方向の間隔は、実質的に３０３ｍｍよりも小さいことが好ましく、特に、実質的に１５１．５ｍｍよりも小さいことが好ましい。このように構成することにより、フローリング材を、その長側辺がいずれの小根太のスペースにも重ならないように配置して、該第１の小小根太と第２の長小根太とに釘打ちすることが可能となる。
【００３３】
請求項５のように、第２の小小根太の第２の長小根太側の端部を、第１の長小根太の第１の小小根太側の端部よりも基板の第２の端辺から離隔した位置まで延在させることにより、フローリング材の長側辺を必ず該第２の小小根太及び第１の長小根太の少なくとも一方に釘打ちすることが可能である。
【００３４】
この場合、請求項６のように、第１の長小根太の第１の小小根太側の端部と、第２の小小根太の第２の長小根太側の端部との小根太長手方向の間隔が１０〜１００ｍｍであることが好ましく、特に好ましくは３０〜５０ｍｍである。このように構成することにより、フローリング材の長側辺を該第２の小小根太と第１の長小根太の双方に交互に重ねて釘打ちすることが可能となる。
【００３５】
本発明においては、請求項７，８のように、各小根太のスペースの小根太長手方向の幅は、実質的に３０３ｍｍよりも小さいことが好ましく、特に、実質的に１５１．５ｍｍよりも小さいことが好ましい。このように構成することにより、フローリング材の両長側辺をこれらのスペースの両側の小小根太と長小根太とに重ねて釘打ちすることが可能となる。
【００３６】
なお、前述の通り、一般的に流通している規格品のフローリング材は、通常、短手幅が３０３ｍｍとなっている。本発明では、実質的に３０３ｍｍとは、３０２．５〜３０３．５ｍｍの範囲にあることを表し、実質的に１５１．５ｍｍとは、１５１．０〜１５２．０ｍｍの範囲にあることを表す。
【発明を実施するための最良の形態】
【００３７】
以下、図面を参照して実施の形態について説明する。以下の各実施の形態は、床暖房マットへの本発明の適用例である。なお、以下の各実施の形態は本発明の一例であり、本発明は以下の各実施の形態以外の形態をもとりうる。
【００３８】
以下の各実施の形態においては、床暖房マットを構成する基板はいずれも長方形状のものであり、各基板は長辺方向を小根太長手方向として配材されている。即ち、以下の各実施の形態においては、各基板の長辺が小根太長手方向の第１の端辺に相当し、短辺が小根太と交叉方向の第２の端辺に相当する。ただし、基板の形状や向きはこれに限定されるものではなく、本発明は、例えば各基板が短辺方向を小根太長手方向として配材された温調マットにも適用可能である。この場合、各基板の短辺が小根太長手方向の第１の端辺に相当し、長辺が小根太と交叉方向の第２の端辺に相当する。もちろん、本発明は、各基板の第１の端辺と第２の端辺の長さが同等、即ち各基板が正方形状の温調マットにも適用可能である。
【００３９】
［第１の実施の形態に係る温調マットとしての床暖房マット１］  
第１図は第１の実施の形態に係る温調床マットとしての床暖房マット１の平面図、第２図は第１図のII−II線に沿う断面図、第３図は小根太の構成を示す、床暖房マット１の概略的な平面図、第４〜６図は、それぞれフローリング材の配置の一例を示す、この床暖房マット１の小小根太側の端部付近の平面図である。
【００４０】
なお、第１図及び第３〜６図では、均熱シート５の図示が省略されている。また、第３図においては、温水配管及び配管収容用溝の図示も省略されている。
【００４１】
この床暖房マット１は、略長方形の４枚の分割マットＡ〜Ｄと、各分割マットＡ〜Ｄの上面に設けられた配管収容用の溝４（第２図）に収容されて該基板Ａ〜Ｄの上面に引き回された温調配管としての温水配管３と、各分割マットＡ〜Ｄの上面を覆う均熱シート５と、該温水配管３が連なるヘッダ６等を有している。
【００４２】
第１図の通り、分割マットＡ〜Ｄがこの順に一列に配列されている。この実施の形態では、該分割マットＡ〜Ｄは、各々の長辺方向の幅が略同一寸法となっており、互いの長辺同士を突き合わせるように配置されている。なお、この実施の形態では、分割マットＢ，Ｃ同士が略同一の形状及び大きさとなっている。
【００４３】
符号Ｔ１は分割マットＡ，Ｂ間の突き合わせ部を示し、Ｔ２は分割マットＢ，Ｃ間の突き合わせ部を示し、Ｔ３は分割マットＣ，Ｄ間の突き合わせ部を示している。
【００４４】
これらの分割マットＡ〜Ｄを配列してなる床暖房マット１は、第１図の通り、全体として略長方形の平面視形状を有している。この実施の形態では、分割マットＡ〜Ｄの配列方向即ち各分割マットＡ〜Ｄの短辺方向が床暖房マット１の長辺方向となっている。各分割マットＡ〜Ｄの長辺方向の幅及び短辺方向の幅は、それぞれ、実質的に３０３ｍｍ（１尺）の整数倍であることが好ましい。
【００４５】
この実施の形態では、分割マットＡ，Ｂ間、分割マットＢ，Ｃ間及び分割マットＣ，Ｄ間においてそれぞれ各突き合わせ部Ｔ１〜Ｔ３を跨いで一方の分割マットから他方の分割マットに連続して温水配管３が引き回されており、この温水配管３により、分割マットＡ，Ｂ同士、分割マットＢ，Ｃ同士及び分割マットＣ，Ｄ同士が連結されている。
【００４６】
この実施の形態では、床暖房マット１は、これらの分割マットＡ，Ｂ間、Ｂ，Ｃ間及びＣ，Ｄ間をそれぞれ各突き合わせ部Ｔ１〜Ｔ３に沿って谷折り（折り目が床暖房マット１の下面側に凸となるように折ること）又は山折り（折り目が床暖房マット１の上面側に凸となるように折ること）することにより、小さく折り畳むことが可能である。
【００４７】
この実施の形態では、分割マットＡは、３枚の帯板状（細長い長方形状）の基板１０〜１２と、２本の小根太３０とを、各々の長手方向を該分割マットＡの長辺方向として、該分割マットＡの短辺方向に交互に配列した如き構成となっている。
【００４８】
また、分割マットＢ，Ｃは、それぞれ、４枚の帯板状の基板１３〜１６と、３本の小根太３０とを、各々の長手方向を各分割マットＢ，Ｃの長辺方向として、各分割マットＢ，Ｃの短辺方向に交互に配列した如き構成となっている。
【００４９】
分割マットＤは、２枚の基板１７，１８と１本の小根太３０とを、各々の長手方向を分割マットＤの長辺方向として、該分割マットＤの短辺方向に交互に配列した如き構成となっている。
【００５０】
各基板１０〜１８は、各々の長側辺を隣接する小根太３０に突き合わせるようにして配置されている。各基板１０〜１８の長さは、各分割マットＡ〜Ｄの長辺方向の幅と略等しい。隣り合う小根太３０，３０は、各々の幅方向（長手方向と交叉方向）の中間（芯）同士の間隔が実質的に３０３ｍｍとなるように配列されていることが好ましい。
【００５１】
分割マットＡは、基板１２を分割マットＢの基板１３に突き合わせるようにして配置され、分割マットＢは、基板１６を分割マットＣの基板１３に突き合わせるようにして配置され、分割マットＣは、基板１６を分割マットＤの基板１７に突き合わせるようにして配置されている。
【００５２】
以下、分割マットＡ〜Ｄの列の各小根太３０を、それぞれ、第１図において最も左側に配置された小根太３０から順に１列目の小根太３０、２列目の小根太３０、３列目の小根太３０、４列目の小根太３０、５列目の小根太３０、６列目の小根太３０、７列目の小根太３０、８列目の小根太３０及び９列目の小根太３０と称することがある。
【００５３】
第１図の通り、この温調マットにおいては、偶数列目の小根太３０（３０Ａ）は、第１の規定長さＬ１を有する第１の小小根太３１Ａと、該小小根太３１Ａとスペースをあけて配置された、該第１の小小根太３１Ａよりも長い規定長さＭ１を有する第１の長小根太３２Ａとからなる。また、３列目以降の奇数列目の小根太３０（３０Ｂ）は、該第２の規定長さＬ２を有する第２の小小根太３１Ｂと、該第２の小小根太３１Ｂとスペースをあけて配置された、該第２の小小根太３１Ｂよりも長い第２の長小根太３２Ｂとからなる。該第２の規定長さＬ２（第２の小小根太３１Ｂ）は第１の規定長さＬ１（第１の小小根太３１Ａ）よりも長い。また、該規定長さＭ２（第２の長小根太３２Ｂ）は、規定長さＭ１（第１の長小根太３２Ａ）よりも長い。
【００５４】
小根太３０Ａ，３０Ｂを挟んで隣り合う基板１１，１２同士、１３，１４同士、１４，１５同士、１５，１６同士、１７，１８同士は、それぞれ、これらの小小根太３１Ａと長小根太３２Ａとの間及び小小根太３１Ｂと長小根太３２Ｂとの間の各スペースを横切るように形成された連結部３３によって連結されている。
【００５５】
第１列目の小根太３０（３０’）も、小小根太３１’と、該小小根太３１’と間隔をあけて配置された、該小小根太３１’よりも長い長小根太３２’とからなる。この実施の形態では、この１列目の小小根太３１’は、偶数列目の小小根太３１Ａと略同じ長さを有しており、長小根太３２’は、３列目以降の奇数列目の長小根太３２Ｂと略同じ長さとなっている。
【００５６】
第１図の通り、この温調マット１においては、全ての小根太３０Ａ，３０Ｂ，３０’において、各小小根太３１Ａ，３１Ｂ，３１’は、各基板１０〜１８の同一の短辺側に配置されている。
【００５７】
なお、各小小根太３１Ａ，３１Ｂ，３１’は、各々の長小根太３２Ａ，３２Ｂ，３２’と反対側の端部（以下、各小小根太３１Ａ，３１Ｂ，３１’の外側端部ということがある。）を各基板１０〜１８の該同一の短辺（以下、各基板１０〜１８の小小根太側短辺ということがある。）に揃えて配置されている。また、全ての小根太３０Ａ，３０Ｂ，３０’において、各長小根太３２Ａ，３２Ｂ，３２’は、各々の小小根太３１Ａ，３１Ｂ，３１’と反対側端部（以下、長小根太３２Ａ，３２Ｂ，３２’の外側端部ということがある。）を各基板１０〜１８の小小根太側短辺と反対側の短辺（以下、各基板１０〜１８の長小根太側短辺ということがある。）に揃えて配置されている。
【００５８】
第３図のように、本発明においては、各基板１０〜１８の長辺方向における第１の小小根太３１Ａと第１の長小根太３２Ａとの間及び第２の小小根太３１Ｂと第２の長小根太３２Ｂとの間の各スペース（連結部３３）の幅Ｗは、実質的に３０３ｍｍよりも小さいことが好ましく、特に、実質的に１５１．５ｍｍよりも小さいことが好ましい。
【００５９】
第１の小小根太３１Ａの規定長さＬ１と第２の小小根太３１Ｂの規定長さＬ２との差ΔＬは、１０〜１００ｍｍ、特に３０〜５０ｍｍであることが好ましい。
【００６０】
各基板１０〜１８の長辺方向における、第１の小小根太３１Ａの第１の長小根太３２Ａ側の端部（以下、小小根太３１Ａの内側端部ということがある。）と、第２の長小根太３２Ｂの第２の小小根太３１Ｂ側の端部（以下、第２の長小根太３２Ｂの内側端部ということがある。）との間隔Ｙ１は、実質的に３０３ｍｍよりも小さいことが好ましく、特に、実質的に１５１．５ｍｍよりも小さいことが好ましい。
【００６１】
第２の小小根太３１Ｂの第２の長小根太３２Ｂ側の端部（以下、第２の小小根太３１Ｂの内側端部ということがある。）は、第１の長小根太３１Ａの第１の小小根太３１Ａ側の端部（以下、第１の長小根太３２Ａの内側端部ということがある。）よりも各基板１０〜１８の小小根太側短辺から離隔した位置まで延在していることが好ましい。この第２の小小根太３１Ｂの内側端部と、第１の長小根太３２Ａの内側端部との距離Ｙ２は、一般的な釘打ち可能な最小幅よりも大きいことが好ましく、具体的には１０〜１００ｍｍ、特に３０〜５０ｍｍ程度であることが好ましい。
【００６２】
この実施の形態では、分割マットＡの基板１０に前記ヘッダ６が配置されている。この基板１０には、その小小根太３１’側の短辺から方形の切欠状のヘッダ設置部１０ａが形成されており、このヘッダ設置部１０ａ内にヘッダ６が設置されている。
【００６３】
小根太３０’の小小根太３１’と長小根太３２’との間のスペース３３’は、このヘッダ設置部１０ａの該小根太３０’側の側辺に臨んでいる。
【００６４】
この実施の形態では、各基板１０〜１８の上面に、それぞれ、各基板１０〜１６の長辺方向に延在する４条の配管収容用の溝４が延設されている。
【００６５】
連結部３３によって連結された基板１１，１２同士の間、１３〜１６同士の間及び１７，１８同士の間においては、これらの溝４同士は該連結部３３を通って連続している。
【００６６】
この実施の形態では、分割マットＡの基板１２及び分割マットＢの基板１３においては、各溝４の端部がこれらの基板Ａ，Ｂ同士の突き合わせ部Ｔ１に臨んでいる。床暖房マット１を展開した状態においては、突き合わせ部Ｔ１を挟んで該分割マットＡの基板１２と分割マットＢの基板１３との各溝４の端部同士が対面する。これにより、これらの溝４が該突き合わせ部Ｔ１を横切って分割マットＡの基板１２から分割マットＢの基板１３に連続して延在したものとなる。
【００６７】
詳しい図示は省略するが、この分割マットＡの基板１２から分割マットＢの基板１３に連続する各溝４は、これらの基板１２，１３の突き合わせ部Ｔ１側の長側辺付近でそれぞれ円弧状に湾曲している。この溝４の分割マットＡ側と、分割マットＢ側とは、互いに反対側に向って凸となる円弧形状を呈するように湾曲している。従って、床暖房マット１を展開した状態においては、この溝４は、分割マットＡから分割マットＢにかけて略Ｓ字形に延在したものとなる。
【００６８】
また、この実施の形態では、分割マットＢ，Ｃ間の基板１６，１３同士の間及び分割マットＣ，Ｄ間の基板１６，１７同士の間においても、上記の分割マットＡ，Ｂ間と同様に、各溝４は、突き合わせ部Ｔ２，Ｔ３を横切って一方の基板から他方の基板に連続し、且つ該一方の基板から他方の基板にかけて略Ｓ字形に延在するように延設されている。
【００６９】
温水配管３は、各溝４に収容され、各連結部３３を通って各基板１１，１２、１３〜１６及び１７，１８にそれぞれ連続して引き回されると共に、分割マットＡ，Ｂ間、Ｂ，Ｃ間及びＣ，Ｄ間においては、これらの突き合わせ部Ｔ１〜Ｔ３を横切って、分割マットＡからＢ、ＢからＣ、及びＣからＤにそれぞれ連続して引き回されている。この温水配管３は、各突き合わせ部Ｔ１〜Ｔ３付近においてそれぞれ各溝４に沿ってＳ字形に蛇行し、各突き合わせ部Ｔ１〜Ｔ３に重なる部分は各突き合わせ部Ｔ１〜Ｔ３に沿って延在したものとなっている。
【００７０】
この実施の形態では、ヘッダ６から小根太３０’側及びこれと反対側にそれぞれ２系統の温水配管３が引き回されている。
【００７１】
ヘッダ６から小根太３０’側に引き回された２系統の温水配管３は、それぞれ、一端がヘッダ６に接続され、次いで、該小根太３０’の小小根太３１’と長小根太３２’との間のスペース３３’を通って分割マットＡの基板１０から基板１１に引き回され、次いで、この分割マットＡの基板１１から各連結部３３及び該分割マットＡの基板１２、分割マットＢの基板１３〜１６、分割マットＣの基板１３〜１６及び分割マットＤの基板１７を通って該分割マットＤの基板１８まで引き回され、次いで、この分割マットＤの基板１８でＵターンし、再び各連結部３３及び該分割マットＤの基板１７、分割マットＣの基板１６〜１３、分割マットＢの基板１６〜１３、分割マットＡの基板１２を通って該分割マットＡの基板１１まで戻り、その後、前記スペース３３’を通って該分割マットＡの基板１１から基板１０に引き回され、他端がヘッダ６に接続されている。
【００７２】
ヘッダ６から小根太３０’と反対側に引き回された２系統の温水配管３は、それぞれ、一端がヘッダ６に接続され、分割マットＡの基板１０内において、該基板１０のヘッダ設置部１０ａ側からこれと反対側へ引き回され、次いでＵターンして該ヘッダ設置部１０ａ側へ戻り、他端がヘッダ６に接続されている。
【００７３】
温水配管３を溝４に収容しつつ上記の配管ルートで引き回した後、分割マットＡ〜Ｄの上面を覆うように均熱シート材５が配置され、この均熱シート材５が各分割マットＡ〜Ｄの上面に接着剤等により貼り付けられている。
【００７４】
このように構成された床暖房マット１を用いて暖房床を構築する手順について次に説明する。
【００７５】
まず、室の床下地のうち床暖房マット配置予定領域を取り囲むようにダミー材（図示略）を配置し、次いで、床暖房マット１を展開してこの床暖房マット配置領域に敷き、この室内に配設された給湯管及び排湯管をそれぞれヘッダ６の給湯口及び排湯口（いずれも図示略）に接続する。
【００７６】
次に、室の端から、順次、このダミー材と床暖房マット１との上にフローリング材４０（第４〜６図）を敷設する。この際、各フローリング材４０を、その長手方向が床暖房マット１の各小根太３０の延在方向と略直交方向となるように配材する。
【００７７】
フローリング材４０は、床暖房マット１上においては、複数の小根太３０に跨って配置される。この際、各フローリング材４０の短辺を小根太３０に重ねるようにする。そして、各フローリング材４０を釘（図示略）で各小根太３０に留め付ける。
【００７８】
なお、このフローリング材４０は、一般的に流通している規格品のフローリング材であり、短手幅が実質的に３０３ｍｍであり、長手幅が実質的に３０３ｍｍの整数倍となっている。この床暖房マット１は、隣り合う小根太３０，３０の芯同士の間隔が３０３ｍｍとなっているので、フローリング材４０の一方の短辺を小根太３０に重ねると、このフローリング材４０の他方の短辺も別の小根太３０に重なるようになる。
【００７９】
フローリング材４０を各連結部３３及びスペース３３’上に配材する場合には、該フローリング材４０の長側辺が各小根太３０Ａ，３０Ｂ，３０’において小小根太３１Ａ，３１Ｂ，３１’及び長小根太３２Ａ，３２Ｂ，３２’の少なくとも一方にそれぞれ重なるように配置し、釘打ちする。
【００８０】
この実施の形態では、第２の小小根太３１Ｂの内側端部が第１の長小根太３２Ａの内側端部よりも各基板１０〜１８の小小根太側短辺から離隔した位置まで延在しているので、第４〜６図のように、フローリング材４０の長側辺を必ず該第２の小小根太３１Ｂ及び第１の長小根太３２Ａの少なくとも一方に釘打ちすることが可能である。
【００８１】
第４図においては、フローリング材４０の長側辺を該第２の小小根太３１Ｂと第１の長小根太３２Ａの双方に交互に重ね、これらの小小根太３１Ｂ及び長小根太３２Ａの双方にフローリング材４０を釘留めしている。第５図においては、フローリング材４０の長側辺を第１の長小根太３２Ａにのみ重ね、この長小根太３２Ａにフローリング材４０を釘留めしている。第６図においては、フローリング材４０の長側辺を第２の小小根太３１Ｂにのみ重ね、この小小根太３１Ｂにフローリング材４０を釘留めしている。
【００８２】
なお、この実施の形態では、各基板１０〜１８の長辺方向における該第１の長小根太３２Ａの内側端部と第２の小小根太３１Ｂの内側端部との間隔が３０〜５０ｍｍとなっているので、フローリング材４０の長側辺を該第２の小小根太３１Ｂと第１の長小根太３２Ａの双方に交互に重ねた後、余裕を持ってこれらの小小根太３１Ｂ及び長小根太３２Ａに釘打ちすることが可能である。
【００８３】
図示は省略するが、フローリング材４０を小根太３０Ａの連結部３３と小根太３０Ｂの連結部３３の双方に重ね、その長側辺を該小根太３０Ｂの第２の長小根太３２Ｂ上に配置するようにしてもよい。
【００８４】
この温調マット１にあっては、全ての小根太３０Ａ，３０Ｂ，３０’において、小小根太３１Ａ，３１Ｂ，３１’が各基板１０〜１８の同一の短辺側に配置されている。即ち、この温調マット１にあっては、該小小根太３１Ａ，３１Ｂ，３１’と長小根太３２Ａ，３２Ｂ，３２’との間の釘打ちできない連結部３３及びスペース３３’は、全ての小根太３０Ａ，３０Ｂ，３０’において、各基板１０〜１８の一方の短辺側にのみ存在している。そのため、温調マット１上にフローリング材４０を敷設する際には、該基板１０〜１８の一方の短辺側においてのみ、フローリング材４０の長側辺がこの連結部３３及びスペース３３’に重ならないようにフローリング材４０を配材すればよいので、フローリング材４０の位置合わせを容易に行うことができる。
【００８５】
［第２の実施の形態に係る温調マットとしての床暖房マット１Ａ］  
第７図は第２の実施の形態に係る温調床マットとしての床暖房マット１Ａの平面図、第８図はこの床暖房マット１Ａ上へのフローリング材の配置の一例を示す、この床暖房マット１Ａの分割マット同士の突き合わせ部付近の平面図である。
【００８６】
なお、第７図及び第８図では、均熱シート５の図示が省略されている。
【００８７】
この実施の形態床暖房マット１Ａは、略長方形の８枚の分割マットＥ〜Ｌを配列してなる。
【００８８】
この実施の形態では、分割マットＥ，Ｉ同士、Ｆ，Ｇ，Ｊ，Ｋ同士及びＨ，Ｌ同士がそれぞれ略同一の形状及び大きさとなっており、互いの長辺の長さ及び互いの短辺の長さがそれぞれ略等しいものとなっている。なお、この実施の形態では、各分割マットＥ〜Ｌは、各々の長辺の長さが略同一寸法となっている。
【００８９】
第１図の通り、分割マットＥ〜Ｈがこの順に一列に配列され、分割マットＩ〜Ｌがこの順に、且つ該分割マットＥ〜Ｈに隣接するように一列に配列されている。
【００９０】
分割マットＥ〜Ｈ及びＩ〜Ｌは、それぞれ、互いの長辺同士を突き合わせるように配置されている。また、分割マットＥ〜Ｈの列と分割マットＩ〜Ｌの列との間では、分割マットＥ，Ｉ同士、分割マットＦ，Ｊ同士、分割マットＧ，Ｋ同士及び分割マットＨ，Ｌ同士がそれぞれ互いの短辺同士を突き合わせるようにして隣接している。
【００９１】
符号Ｔ４は分割マットＥ，Ｆ間及びＩ，Ｊ間の突き合わせ部を示し、Ｔ５は分割マットＦ，Ｇ間及びＪ，Ｋ間の突き合わせ部を示し、Ｔ６は分割マットＧ，Ｈ間及びＫ，Ｌ間の突き合わせ部を示し、Ｔ７は分割マットＥ〜Ｈの列とＩ〜Ｌの列との間の突き合わせ部を示している。
【００９２】
これらの分割マットＥ〜Ｌを配列してなる床暖房マット１Ａも、第７図の通り、全体として略長方形の平面視形状を有している。この実施の形態でも、分割マットＥ〜Ｈ及びＩ〜Ｌの配列方向即ち各分割マットＥ〜Ｌの短辺方向が床暖房マット１Ａの長辺方向となっている。この床暖房マット１Ａにおいても、各分割マットＥ〜Ｌの長辺方向の幅及び短辺方向の幅は、それぞれ、実質的に３０３ｍｍ（１尺）の整数倍であることが好ましい。
【００９３】
この実施の形態では、分割マットＥ，Ｆ間、分割マットＦ，Ｇ間、分割マットＧ，Ｈ間、分割マットＩ，Ｊ間、分割マットＪ，Ｋ間、分割マットＫ，Ｌ間及び分割マットＥ，Ｉ間においてそれぞれ各突き合わせ部Ｔ４〜Ｔ７を跨いで一方の分割マットから他方の分割マットに連続して温水配管３が引き回されており、この温水配管３により、分割マットＥ，Ｆ同士、分割マットＦ，Ｇ同士、分割マットＧ，Ｈ同士、分割マットＩ，Ｊ同士、分割マットＪ，Ｋ同士、分割マットＫ，Ｌ同士及び分割マットＥ，Ｉ同士が連結されている。
【００９４】
この実施の形態では、床暖房マット１Ａは、これらの分割マットＥ，Ｆ間、分割マットＦ，Ｇ間、分割マットＧ，Ｈ間、分割マットＩ，Ｊ間、分割マットＪ，Ｋ間、分割マットＫ，Ｌ間及び分割マットＥ，Ｉ間をそれぞれ各突き合わせ部Ｔ４〜Ｔ７に沿って谷折り又は山折りすることにより、小さく折り畳むことが可能である。
【００９５】
この実施の形態では、分割マットＥ〜Ｈの列及び分割マットＩ〜Ｌの列は、それぞれ、前述の第１〜６図の床暖房マット１において、分割マットＤの分割マットＣと反対側に小根太３０Ａを挟んで基板１９を追加した如き構成となっている。即ち、これらの分割マットＥ〜Ｈの列及び分割マットＩ〜Ｌの列において、それぞれ、分割マットＥ，Ｉは床暖房マット１の分割マットＡに相当し、分割マットＦ，Ｊは分割マットＢに相当し、分割マットＧ，Ｋは分割マットＣに相当し、分割マットＨ，Ｌは分割マットＤに小根太３０Ａ及び基板１９を追加したものに相当する。
【００９６】
該分割マットＨ，Ｌの基板１８，１９間においては、それぞれ、小根太３０Ａの第１の小小根太３１Ａと長小根太３２Ａとの間の連結部３３を通って該基板１８から基板１９に温水配管３が連続して引き回されている。
【００９７】
なお、この床暖房マット１Ａでは、分割マットＩの基板１０にのみヘッダ６が設置されており、分割マットＥの基板１０にはヘッダ６は設置されていない。該分割マットＥの基板１０，１１間には、小根太３０’の代わりに小根太３０Ｂが設置されている。
【００９８】
該ヘッダ６から分割マットＩの基板１０側に引き回された温水配管３は、該分割マットＩの基板１０から突き合わせ部Ｔ７を横切って分割マットＥの基板１０に引き回され、次いで、この分割マットＥの基板１０から、各連結部３３及び該分割マットＥの基板１１，１２、分割マットＦの基板１３〜１６、分割マットＧの基板１３〜１６、分割マットＨの基板１７，１８を通って該分割マットＨの基板１９まで引き回され、次いで、この分割マットＨの基板１９でＵターンし、再び各連結部３３及び該分割マットＨの基板１８，１７、分割マットＧの基板１６〜１３、分割マットＦの基板１６〜１３、分割マットＥの基板１２，１１を通って該分割マットＥの基板１０に戻り、その後、突き合わせ部Ｔ７を横切って分割マットＩの基板１０に引き回され、他端がヘッダ６に接続されている。
【００９９】
この実施の形態では、分割マットＥ，Ｉ間の基板１０，１０同士の間においても、上記の床暖房マット１の分割マットＡ，Ｂ間と同様に、双方の基板１０，１０の上面に設けられた配管収容用の各溝４は、突き合わせ部Ｔ７を横切って該分割マットＩの基板１０から分割マットＥの基板１０に連続し、且つ該分割マットＩから分割マットＥにかけて略Ｓ字形に延在するように延設されている。そして、温水配管３は、この溝４に収容されて、該突き合わせ部Ｔ７付近においてＳ字形に蛇行しつつ分割マットＩから分割マットＥに連続して引き回されている。
【０１００】
第７図の通り、分割マットＥ〜Ｈの列では、全ての小根太３０Ａ，３０Ｂにおいて、各小小根太３１Ａ，３１Ｂは、各基板１０〜１９の同一の短辺側、即ちこの実施の形態では突き合わせ部Ｔ７に沿う短辺（以下、この突き合わせ部Ｔ７に沿う短辺を内側辺ということがある）側に配置されている。
【０１０１】
また、分割マットＩ〜Ｌの列では、全ての小根太３０Ａ，３０Ｂ，３０’において、各小小根太３１Ａ，３１Ｂ，３１’は、各基板１０〜１９の同一の短辺側、即ちこの実施の形態では突き合わせ部Ｔ７と反対の短辺（以下、この突き合わせ部Ｔ７と反対の短辺を外側辺ということがある）側に配置されている。
【０１０２】
この床暖房マット１Ａにおける分割マットＥ〜Ｈの列及び分割マットＩ〜Ｌの列のその他の構成は、前述の床暖房マット１と同様であり、第７，８図において第１〜６図と同一符号は同一部分を示している。
【０１０３】
この床暖房マット１Ａにあっては、分割マットＥ〜Ｈの列では、各基板１０〜１９の内側辺側にのみ、釘打ちできない連結部３３が存在しており、分割マットＩ〜Ｌの列では、各基板１０〜１９の外側辺側にのみ、釘打ちできない連結部３３及びスペース３３’が存在しているので、この床暖房マット１Ａ上にフローリング材４０を敷設するに際しては、該分割マットＥ〜Ｈの列と分割マットＩ〜Ｌの列との突き合わせ部Ｔ７と、該分割マットＥ〜Ｈの列の各基板１０〜１９の内側辺側並びに該分割マットＩ〜Ｌの列の各基板１０〜１９の外側辺側にのみ存在する各連結部３３及びスペース３３’にそれぞれフローリング材４０の長側辺が重ならないようにフローリング材４０を配材すればよい。そのため、このように分割マットＥ〜Ｈの列と分割マットＩ〜Ｌの列とを突き合わせるように配置してなる床暖房マット１Ａにあっても、フローリング材４０の位置合わせを容易に行うことができる。
【０１０４】
なお、この実施の形態では、分割マットＥ〜Ｈの列では、各小小根太３１Ａ，３１Ｂは各基板１０〜１９の内側辺側に配置され、分割マットＩ〜Ｌの列では、各小小根太３１Ａ，３１Ｂ，３１’は各基板１０〜１９の外側辺側に配置されているが、分割マットＥ〜Ｈの列及び分割マットＩ〜Ｌの列における各小小根太３１Ａ，３１Ｂ，３１’の配置はこれに限定されるものではない。例えば、分割マットＥ〜Ｈの列及び分割マットＩ〜Ｌの列の双方において、各小小根太３１Ａ，３１Ｂ，３１’が各基板１０〜１９の内側辺側に配置されてもよく、分割マットＥ〜Ｈの列及び分割マットＩ〜Ｌの列の双方において、各小小根太３１Ａ，３１Ｂ，３１’が各基板１０〜１９の外側辺側に配置されてもよい。
［材質等］
上記各部材の材質の一例として次のものが挙げられるが、これらに限定されるものではない。
【０１０５】
温調マットを構成する基板の材質としては、例えば発泡ポリプロピレン、発泡ポリスチレン、発泡ポリエチレン、発泡ポリウレタン等の発泡合成樹脂のほか、木材等を用いることができる。発泡合成樹脂としては、断熱性の点から、内部の気泡が独立気泡となっているものが好ましい。
【０１０６】
小根太としては、木材や、釘打ち可能な合成木材又は合成樹脂が好ましい。
【０１０７】
均熱シート材としては、アルミ又は銅の金属箔が好ましい。
【０１０８】
温水配管としては、一般的には架橋ポリエチレン製パイプが用いられるが、温水配管の材質はこれに限定されるものではなく、例えば他の合成樹脂製パイプや、銅パイプ等の金属パイプなどが用いられてもよい。
【０１０９】
［その他の構成］
上記の実施の形態は、本発明の一例を示すものであり、本発明は図示の構成に限定されない。
【０１１０】
例えば、上記の第１の実施の形態では４枚の略長方形状の分割マットＡ〜Ｄを集合状に配列して床暖房マット１を構成し、第２の実施の形態では８枚の略長方形状の分割マットＥ〜Ｌを集合状に配列して床暖房マット１Ａを構成しているが、床暖房マットを構成する分割マットの枚数及び形状はこれに限定されない。また、各分割マットを構成する基板及び小根太の本数や形状なども、図示の構成に限定されない。本発明の床暖房マットは、複数の分割マットに分割されていない、単体のマットにより構成されていてもよい。
【０１１１】
温水配管３の配管ルートは図示のルートに限定されるものではない。
【０１１２】
上記の実施の形態では温水配管３が直に各溝４内に収容されているが、各溝４の内面から各分割マットの上面にかけて熱伝導部材を配材し、温水配管３を、この熱伝導部材に接するように溝４内に収容するよう構成してもよい。このように構成することにより、温水配管３からの熱を、この熱伝導部材を介してより効率よく均熱シート材５に伝えることができる。
【０１１３】
上記の実施の形態は、床暖房マットに関するものであるが、本発明の温調マットは、壁や天井等に配置されてもよい。また、温水ではなく、冷水を配管に通水して冷房するようにしてもよい。水以外のオイル、不凍液等の熱媒体を流通させてもよい。
【図面の簡単な説明】
【０１１４】
【図１】第１の実施の形態に係る温調床マットとしての床暖房マット１の平面図である。
【図２】図１のII−II線に沿う断面図である。
【図３】小根太の構成を示す、床暖房マット１の概略的な平面図である。
【図４】フローリング材の配置の一例を示す、床暖房マット１の小小根太側の端部付近の平面図である。
【図５】フローリング材の配置の一例を示す、床暖房マット１の小小根太側の端部付近の平面図である。
【図６】フローリング材の配置の一例を示す、床暖房マット１の小小根太側の端部付近の平面図である。
【図７】第２の実施の形態に係る温調床マットとしての床暖房マット１Ａの平面図である。
【図８】フローリング材の配置の一例を示す、床暖房マット１Ａの分割マット同士の突き合わせ部付近の平面図である。
【図９】従来例に係る温水マットの平面図である。
【図１０】図９の温水マットの基板７０の一方の短辺側と他方の短辺側との拡大図である。
【図１１】図９の温水マットを複数枚敷設した場合の該温水マット同士の突き合わせ部付近の平面図である。
【符号の説明】
【０１１５】
Ａ〜Ｌ  分割マット
１  床暖房マット
３  温水配管
４  溝
６  ヘッダ
５  均熱シート材
１０〜１９  基板
３０，３０Ａ，３０Ｂ，３０’  小根太
３１Ａ  第１の小小根太
３１Ｂ  第２の小小根太
３２Ａ  第１の長小根太
３２Ｂ  第２の長小根太
４０  フローリング材
【図１】
0005194825.tif 000002
【図２】
0005194825.tif 000003
【図３】
0005194825.tif 000004
【図４】
0005194825.tif 000005
【図５】
0005194825.tif 000006
【図６】
0005194825.tif 000007
【図７】
0005194825.tif 000008
【図８】
0005194825.tif 000009
【図９】
0005194825.tif 000010
【図１０】
0005194825.tif 000011
【図１１】
0005194825.tif 000012